Podtech/llm-jp-corpus-v4-ja_patent huggingface dataset:
(57)【要約】【課題】  従来廃棄物焼却後のサイクロン方式等の排煙処理システムは、焼却時発生する有害物質を含む排煙を廃棄（気）処理するためには、８５０℃以上の高温の処理（特にダイオキシン等）が必要不可欠とされその高温処理後の排煙は、粉塵と空気の分離が難しくしかもそのまま排気（廃棄）されていた。【解決手段】  本発明排煙処理システムは３次燃焼室での有害物質等の８５０℃以上の完全焼却、及びマイナス加電圧による除塵、空冷循環方式による２００℃以下の排気で環境に与える影響を考えた安全な排気処理システムである。【選択図】図１
2005270945.tif 000002
【特許請求の範囲】
【請求項１】
焼却装置２次燃焼室より送りこまれる８５０℃以上の排煙を排煙処理装置内部▲２▼に、熱溜まり部▲７▼（３次燃焼室）、酸素供給部、を有し、ダイオキシン等の有害物質を８５０℃以上の温度で高温処理される排煙処理システム。
【請求項２】
熱溜まり部で高温処理された排煙はサイクロン方式を用い装置外より冷却空気（常温）を装置内に送り込み冷却、清浄空気として空気中に排出するシステム。
【請求項３】
排煙処理装置の燃焼缶体は加電圧するための電極を有し、電極よりマイナス高電圧を加えることにより、高温処理された排煙は燃え尽きた粉塵となり外部へと排出する際、比重の重い塵は燃焼缶体下部へ落下、又比重の軽い粉塵は燃焼缶体内壁に付着し、電位を帯びた粉塵と清浄空気に分離される、粉塵、カーボン、は加電圧を停止する事で内壁より剥離、塵と、清浄な空気に分離除塵廃棄する排煙処理システム。
【発明の詳細な説明】
【技術分野】
【０００１】  本発明は排煙処理装置により排煙の有害物質の熱処理、及び装置内２層構造に常温の空気を外部より導入冷却、及び加電圧による除塵作用、２００℃以下の清浄空気排気、等をする構造を有するシステムに関する。
【背景技術】
【０００２】  従来の焼却装置の排煙処理システムは、有害物質の熱処理後、サイクロンを用い排気するシステムであったが、排煙中の除塵分離が難しく比重の重い塵はある程度除去できたが、特に比重の軽い粉塵は空気と混合された状態で排気されていた。
【発明の開示】
【発明が解決しようとする課題】
【０００３】  従来の排煙処理は、排煙中の有害物質の除去、排煙中の除塵分離（特に比重の軽い粉塵と排気の分離）、等の完成されたシステムがなかった。
【課題を解決するための手段】
【０００４】  課題を解決するために本システムは、排煙処理装置を熱処理部で有害物質の高温（８００℃以上）処理、外部より常温の空気を導入装置内回転冷却、加電圧で塵と清浄な空気に分離、廃棄、排気口より２００℃以下の温度で排気するシステムにする。
【発明の効果】
【０００５】  本発明は、以上説明したような形態で実施され、以下に記載されるような効果を奏する。
【発明を実施するための最良の形態】  排煙処理装置は排煙の熱処理部と冷却部の外層（冷却缶体）、内層（燃焼缶体）の２重構造にし煙に含まれる有害物質の、熱処理（８５０℃）、冷却（常温）、加電圧、で塵と清浄空気に分離廃棄するシステムである。【０００６】  排煙処理装置、内層部は高温（８５０℃以上）の熱溜まり部と酸素供給部を保有し有害物質の完全燃焼で無害化が図られ安全かつ効率的排煙処理システムとなる。
【実施例１】
【０００７】  焼却装置２次燃焼室より送り込まれてくる排煙は、排煙導入口と排煙処理装置内層部内径に沿って回転し安い構造とし、排煙が回転し（熱溜まり部）そこに酸素供給口よりの酸素で、燃焼が促進され高温（８５０℃）処理ができる効率的システムである。
【実施例２】
【０００８】  又排煙処理装置外層部には外部より空気（常温）が強制的（送風機等）に送りこまれる導入部を保有し、その導入部と外層部の接続方法は、内層部と２次燃焼室の接続方法同様、外層部内径に沿って接続し、導入空気が回転しながら排気口に移動するため、効率の良い熱交換が行われ、ムラのない冷却と、燃焼缶体内層部は加電圧により、塵と無害な清浄空気に分離排気するシステムになっている。
【実施例３】
【０００９】  焼却装置２次炉である程度高温処理された排煙をさらに本発明のシステムにある排煙処理装置で最終熱処理することで有害物質が除去できる。
【実施例４】
【００１１】  本システムの外部よりの空気（常温）導入は、冷却缶体の空間を回転しながら熱交換が行われるため効率的冷却ができ、しかも早い時間で行われるためそれが冷却缶体の空気断熱効果を発生促進し、外部への熱伝導が少なく断熱材等の設備工事が不要になる等のメリットがある、又冷却空気供給は空気量を調整することで排気温の調整も可能である。
【実施例５】
【００１２】  熱交換率が高いため最終排気温度を２００℃以下に抑えるでき排気温度が環境に及ぼす影響がほとんどない。
【実施例５】
【００１３】  加電圧により除塵効率が高いため装置内清掃手入れ等の必要がほとんどない。
従来廃棄物などの焼却システムは廃棄物の焼却と、それによる有害物質（ダイオキシン等）の発生を解決するために、有害物質そのものを８５０℃以上の高温処理が必要なため、排気温度が高い（２００℃以上）、又装置内に粉塵、カーボン等が付着し後のメンテナンスが困難等が予測され、これら全体を解決するシステムがなかった、そのために本発明システムでは、有害物質の高温処理、排気温２００℃以下の排出、及び除塵の効率化、メンテナンスの簡素化等の対策が講じられた排煙処理システムとしては安全かつ精度の高いシステムである。
【図面の簡単な説明】
【００１４】
【図１】  本発明システムのフロウーチャート図である
【図２】  排煙処理装置断面詳細図である
【図３】  排煙処理装置断面詳細図である
【符号の説明】
【００１５】  ▲１▼  冷却缶体
▲２▼  燃焼缶体
▲３▼  センサー
▲４▼  廃棄口
▲５▼  冷却空気供給口（常温）
▲６▼  酸素供給口
▲７▼  熱溜まり部
▲８▼  排気口
▲９▼  冷却空気供給口
▲１０▼  排気排出口
▲１１▼  排煙吸引口
▲１２▼  絶縁体
▲１３▼  加電圧ターミナル
【図１】
2005270945.tif 000003
【図２】
2005270945.tif 000004
【図３】
2005270945.tif 000005
(57)【要約】 【課題】  人が捕まえることで鳥が人の手の不安感を感じ、爪を切っているときに鳥が暴れ怪我をさせる危険性がありました。このようなことをなくし鳥かごの中から小鳥を取り出すことなく常に爪が伸びてない状態にすることを目的としたものである。【解決手段】  止まり木に小鳥が止まったときの爪が来る部分にやすりを取り付ける。そうすることにより爪をとぐことができる。【選択図】  図１
2005270047.tif 000002
【特許請求の範囲】
【請求項１】
鳥かごに使用する止まり木であって、止まり木の裏面側に、やすりを備えたことを特徴とする爪とぎ付止まり木。
【発明の詳細な説明】
【技術分野】
【０００１】
本発明は止まり木の裏面側にやすりをつけて小鳥がつかまることで自然に爪を研ぐ止まり木に関する。
【背景技術】
【０００２】
従来の爪を研ぐものには、猫の爪とぎを電動で施すものがある（例えば、特許文献１参照）。
【特許文献１】特開２００２−２７８５９号  公報
【発明の開示】
【発明が解決しようとする課題】
【０００３】
以上に述べた電動爪とぎでは、猫用であって小鳥には使えませんでした。
【０００４】
人が小鳥を鳥かごの中から取り出し、小鳥を捕まえたままはさみや爪切りなどで切っていたことをなくし、鳥かごの中から小鳥を出すことなく爪をみじかくする。
【０００５】
さらに人が捕まえることで鳥が人の手の不安感を感じ、爪を切っているときに鳥が暴れ怪我をさせる危険性がありました。このようなことをなくし鳥かごの中から小鳥を取り出すことなく常に爪が伸びてない状態にすることを目的としたものである。
【課題を解決するための手段】
【０００６】
上記目的を達成するために、本発明は鳥かごの中にある止まり木の裏面側にやすりを取り付けたものである。
【０００７】
止まり木とは、鳥が止まるためのものであり木材やプラスチックなどで作られたものが多く、おもに鳥かごの中で使われている。鳥かごの中にあるものは、かごの大きさによって長さは違いますが、太さはおよそ直径が１ｃｍから２ｃｍで、多少鳥の種類によって異なります。
【０００８】
止まり木の裏面側に取付けるやすりの種類は、金属や紙やすり、サンドペーパーなどのやすりを使用します。
やすりは止まり木の裏面側、つまり木をつかんでいるときに爪がくる部分に止まり木の直径の３分の１程度に取り付ける。そのときのやすりの幅は爪以外の場所にあたらない大きさにする。
【０００９】
やすりの目の粗さは爪の伸び方によって変える必要がある。伸びている場合は、８０番から１２０番、ある程度丸くなれば、２４０番くらいを使用し、普段爪が伸びてないときは、６００番から１２００番のものを取り付け常に爪の長さを保つことが出来る。
上記のやすりの番数は、日本共通のペーパーやすりを使用した場合です。
【発明の効果】
【００１０】
止まり木の下にやすりを取り付けることで小鳥が止まり木の上を移動することにより爪が研がれていく。そのため、鳥かごの中から小鳥を捕まえて爪切りをする必要がなくなり、そのとき小鳥が暴れて怪我をさせてしまう危険性がなくなりました。
【発明を実施するための最良の形態】
【００１１】
図１は本発明の実施形態となる爪とぎ付止まり木の実施例を示す説明図である。
以下、実施例に従い本発明を詳細に説明する。
【００１２】
この実施例の止まり木１の長さは３０ｃｍで、太さは直径1ｃｍの物を使用します。裏面側に紙やすり３を止まり木１の端から端まで接着剤で円周３分の１（約1ｃｍ）に取り付ける。このときのやすり３の目の粗さは、２４０番を使用。
【００１３】
止まり木１は、鳥かごに取り付けるために止まり木の両端にかごに取り付ける為のみぞ２をつくる。みぞは紙やすり３を真下にしたときに縦に幅３ｍｍ、深さ５ｍｍ、長さは止まり木１の直径で両端につくる。このみぞを鳥かごの柵にはめ込み止まり木1を固定させる。
【００１４】
このとき、紙やすりの目の粗さを変えるときには、止まり木全体を交換することになる。
【図面の簡単な説明】
【００１５】
【図１】爪とぎ止まり木を示す説明図。
【符号の説明】
【００１６】
１  止まり木
２  かごに取り付ける為のみぞ
３  紙やすり
【図１】
2005270047.tif 000003
(57)【要約】【課題】  発光体を取付た浮きまたは電気浮きは、魚のあたりによる水中への沈み込みを瞬時に判断することが難しい。また発光素子の発光色を切り替える電気浮きは高価な為、釣りの方法による浮きの浮力を変える場合、数種類を購入する事が必要で釣り人の負担が増えてしまう。なお電気浮きの発光部は小さく遠方からの目視しにくい。【解決の手段】  浮きに取付た発光体または電気浮きの発光部周囲にレンズを取付、レンズの作用により発光部を大きく見せる。また水中へ沈み込んだ時、レンズの作用が無くなるような構造を備えたもので、遠方からの目視も容易になり、かつ魚のあたりで浮きが水中に引き込まれたことも瞬時に判断することができる。【選択図】図２
2005270073.tif 000002
【特許請求の範囲】
【請求項１】
浮きに取付る発光体及び電気浮きに付け、遠方からの黙視を容易にすると共に水中への沈み込みを素早く判断出来るようにした補助レンズ。
【発明の詳細な説明】
【技術分野】
【０００１】  本発明は、夜釣りに使用する浮き用発光体及び電気浮きに取付る補助レンズに関するものである。
【背景の技術】
【０００２】  夜釣りで釣り人は電気浮き、または浮きに発光体を取付て黙視していた。また電気浮きの中には水中への沈み込みを検知し、発光素子の発光色を切り替え釣り人に魚のあたりを認知させるものもある。（例えば、特許文献１参照）
【特許文献１】    特開平０６−２０９６８１号  公報
【発明の開示】
【発明が解決しようとする課題】
【０００３】  発光体を取付た浮き、または電気浮きは魚のあたりによる水中への沈み込みを瞬時に判断することが難しい。【０００４】  発光素子の発光色を切り替える電気浮きは高価で、釣りの方法による浮きの浮力を変える場合、数種類を購入する事が必要で釣り人の負担が増えてしまう。【０００５】  電気浮きの発行部は小さく遠距離からの視認がしづらく高齢者や視力の弱い人には満足のいくものではなかった。【０００６】  本発明はこのような欠点を解決するため、浮きに取付た発光体及び電気浮きに取付ることにより、釣り人に発光部をより黙視しやすくすると共に、魚のあたりで浮きが水中に引き込まれた事を明確に判断できるものを提供することを目的とするものである。
【課題を解決するための手段】
【０００７】  これらの課題を解決するため、浮きに取り付けた発光体または電気浮きの発光部周囲にレンズを取り付け、レンズの作用により発光部を大きく見せる。また水中へ沈み込んだ時、レンズの作用が無くなるような構造を備えたものである。
【発明の効果】
【０００８】  発光部が拡大して見える事で遠方からの目視が容易になると共に、魚のあたりで浮きが水中に沈み込むとレンズの作用が無くなり発光部その物の大きさに見えるようになるので遠距離からでも浮きの動きが瞬時に判断できる事で、子供や高齢者、視力の弱い人でも夜釣りを簡単にする効果がある。
【発明を実施するための最良の形態】
【０００９】  本発明の実施の形態を図面で説明する。図３で示すように補助レンズ１と発光部２の間は空間があり、その空間によりレンズの作用が働き補助レンズ１全体が発光しているように見え、図４で示すように補助レンズ１と発光部２が水中に入るとその空間と外側に水が入るのでレンズの作用が無くなり発光体の大きさに見えるようになる。
【実施例】
【００１０】  図１は補助レンズ１と浮き本体３上部の発光部２に取付前で、これを図２のように発光部２に補助レンズ１を取付る。【００１１】  図３は補助レンズ１が大気中に出ている状態で中央部は発光部２で、この発光部２から出た光が補助レンズ１を通過する時、一部は屈折し一部は反射しレンズ内部で乱反射することで補助レンズ１全体が発光しているように見える。【００１２】  この状態で図４で示すように水中へ補助レンズ１が引き込まれるとレンズの作用が無くなり、屈折と反射していた光が直進することにより発光部２の大きさに見えるようになる。
【図面の簡単な説明】
【００１３】
【図１】  補助レンズ本体と浮き本体及び発光部の外形図
【図２】  補助レンズを浮き本体及び発光部に取り付けた外形図
【図３】  大気中における補助レンズの作用を示す上部図
【図４】  水中における補助レンズの作用を示す上部図
【符号の説明】
【００１４】    １  補助レンズ本体
２  発光部
３  浮き本体
【図１】
2005270073.tif 000003
【図２】
2005270073.tif 000004
【図３】
2005270073.tif 000005
【図４】
2005270073.tif 000006
(57)【要約】【課題】従来ハンバーグに使用されていた具材、魚肉、豚肉、牛肉は市場価額が高く病原菌問題もあった。食料品でもあるサメはあまり利用されず、漁で取れても処分に困っていた。サメ肉には異臭があった。【解決手段】ハンバーグに使用する具材にサメ肉を使い、それを焼き上げ、タルタルソースやケチャップで味付けをし、パン生地にわさびを塗り、ハンバーグとレタスをパン生地ではさんだハンバーガーとする。あえてサメ肉をミンチにした状態で水洗いをし、異臭の原因である尿素を除去する。【特許請求の範囲】
【請求項１】
サメ肉をミンチ状にして水洗いし、水切りする工程と、水切りしたサメ肉に香味野菜、香辛料、調味料を加えハンバーグの形に成形して焼く工程と、ハンバーガー用のパンにわさびを塗る工程と、わさびを塗ったパンに、前期ハンバーグをはさむ工程と、を有することを特徴とするハンバーガーの製造方法
【発明の詳細な説明】
【技術分野】
【０００１】この考案はサメ肉にわさび、タマネギ、黒コショウ、卵、味の素、しょう油、パン粉、生クリーム、レタス、しその大葉、またはネギとカツオブシを使ったハンバーガーに関するものである。さめ肉の特異臭を除去したハンバーガーに関するものである。
【背景技術】
【０００２】従来ハンバーガーには味覚をよくするためからしを用いられていた。だが、からしを取りすぎたり、食べ過ぎると胃腸の粘膜を刺激し、悪心、嘔吐、腹痛をもたらし腎機能を悪くするなど欠点があった。また従来ハンバーガーに使用されていた具材肉、魚肉、豚肉、牛肉は市場価格が高くその他にもＯ−１５７を含む病原菌などの問題があった。そしてサメ肉についてはあまり食料品としては従来使われず、むしろサメが漁でとれてもその処理に困っていた次第である。従来サメ肉の尿素による異臭の問題に苦労していた。
【発明の開示】
【発明が解決しようとする課題】
【０００３】従来のハンバーガーの具材である魚肉、豚肉、牛肉は市場価格が高くそれらには病原菌の問題もあった。サメ肉はあまり食用とされず、漁で取れても処理に困っていた。さめ肉には尿素が原因で特異臭があった。
【課題を解決するための手段】
【０００４】サメ肉で作ったハンバーグを焼あげ味付けをし、レタスを添え、パン生地の内側にわさびを塗り、そのハンバーグとレタスをパン生地で上下からはさみ、ハンバーガーとする。サメ肉をあえてミンチにしてからボウルに入れ、そこに水を入れてよく洗う、そして洗ったサメ肉を目の細かいザルなどに入れ、鮮度が落ちないように冷蔵庫などの冷蔵装置に入れ、その中でザルの水切り作用を利用して脱水する。以上の手段によりサメの特異臭を除去する。
【発明の効果】
【０００５】ハンバーガーにわさびを添加することにより、制菌、食欲増進効果、食あたり防止、消化を助ける、抗腫瘍作用、血栓予防作用、解毒作用、発がん予防作用、Ｏ−１５７増殖抑制効果、以上の効果のあるハンバーガー食品が期待できる。入手しやすく価格が安定しているサメ肉を使うことにより材料の安定供給と経済効果がある。サメ肉は良質のアルカリ食品でありがんの予防にもなり、サメ肉とわさびに含まれる上記効果による相乗効果が期待できる。従来にない食感が得られる。現在の高齢化社会に伴う高齢者が食べても健康によい食品であり、食品産業低迷の活性化が期待できる。サメ肉の特異臭のないハンバーガー食品を期待できる。
【発明を実施するための最良の形態】
【０００６】サメ肉３００グラムをミンチにする。サメであればどのようなサメでも可能である。ミンチにしたサメ肉をボウルに入れ、そこに水を入れてかきまぜてよく洗う。そして洗ったサメ肉を目の細かいザルなどに入れ、鮮度が落ちないように冷蔵庫などの冷蔵装置に入れ、その中でザルの水切り作用を利用して脱水する。脱水されたミンチのサメ肉に、タマネギ大の半分２００グラムをきざんだものに、卵１個、黒コショウ少々、味の素少々、しょう油大さじ１、パン粉１カップ、生クリーム少々に、しその大葉を細かくきざんだものまたは、きざんだネギとかつおぶしを加えよく混ぜ、９個位のハンバーグの形、円形にして焼き上げ、ソースにタルタルソースやケチャップ等を使い、ピクルスを加え、ハンバーグに味付けする。そこにレタスを添える。パン生地の内側にゲル状のわさびを塗る。そのパン生地で上記記載のハンバーグとレタスを上下からはさんでハンバーガーとする。ハンバーグの熱でわさびの効能が失われないように、ハンバーグとわさびを塗ったパン生地の間にレタスをはさんだハンバーガーとする。わさびを塗ることによって、サメ肉の残った臭いを取り除くことができる。【０００７】ハンバーグの形にしたものを、冷凍しておいて、必要に応じて、焼き上げ、ハンバーガーにすることもできる。
【産業用の利用可能性】
【０００８】ハンバーガー市場、例えばマクドナルド、モスバーガー、ロッテリア、コンビニエンスストアにて販売利用が可能であり、それらは産業低迷しており、上記食品産業低迷の活性化を期待できる。スパーマーケット、飲食店に対し、ハンバーグのみでの販売利用も可能であるので、それらの活性化も期待できる。
【図面の簡単な説明】
【０００９】
【図１】サメのわさび風味ハンバーガーの正面図である
【符号の説明】
【００１０】１  パン
２  わさび
３  レタス
４  ピクルス
５  タルタルソースまたはケチャップ
６  さめ肉のハンバーグ
【図１】
2005270080.tif 000002
【手続補正書】
【提出日】平成16年4月27日(2004.4.27)
【手続補正１】
【補正対象書類名】特許請求の範囲
【補正対象項目名】請求項１
【補正方法】変更
【補正の内容】
【請求項１】
サメ肉をミンチ状にして水洗いし、水切りする工程と、水切りしたサメ肉に香味野菜、香辛料、調味料を加えハンバーグの形に成形して焼く工程と、ハンバーガー用のパンにわさびを塗る工程と、わさびを塗ったパンに、前記ハンバーグをはさむ工程と、を有することを特徴とするハンバーガーの製造方法
【手続補正２】
【補正対象書類名】明細書
【補正対象項目名】０００８
【補正方法】変更
【補正の内容】
【０００８】ハンバーガー市場、例えばマクドナルド、モスバーガー、ロッテリア、コンビニエンスストアにて販売利用が可能であり、それらは産業低迷しており、上記食品産業低迷の活性化を期待できる。スーパーマーケット、飲食店に対し、ハンバーグのみでの販売利用も可能であるので、それらの活性化も期待できる。
【手続補正３】
【補正対象書類名】明細書
【補正対象項目名】０００９
【補正方法】変更
【補正の内容】
【０００９】
【図１】ハンバーガーの正面図である
(57)【要約】【課題】イカの耳（エンペラ）を捨てなく美味しく食べる方法を提供する。【解決手段】圧力鍋で加圧加熱ボイルする  水から入れ沸騰してから約１０分〜１５分。  （イカの耳（エンペラ）や水の容量によって多少違う）そのまま鍋の圧力が無くなるまで（１５分前後）放置し圧力が無くなったら鍋から取り出して水洗いして水を切って商品化する。【特許請求の範囲】
【請求項１】
イカの耳（エンペラ）を圧力釜で加圧加熱ボイルする方法。
【発明の詳細な説明】
【発明の詳細な説明】
【技術分野】
【０００１】この発明はイカを美味しくする方法に関するものである。
【背景技術】
【０００２】蒸し又はボイルしたイカの耳（エンペラ）はそのまま通常の鍋、釜を使用してボイルしていた。
【発明が解決しようとする課題】
【０００３】これは次のような欠点があった。通常の鍋、釜でボイルしたイカの耳（エンペラ）は硬く旨みがない。食べるにあまり適さないのである。
【課題を解決する為の手段】
【０００４】イカの耳（エンペラ）を圧力釜で加圧加熱ボイルする事によって柔らかく何故か新しい美味しさが発生し違ったボイル食品に変化する。
【発明を実施するための最良の形態】
【０００５】以下本発明の実施の形態について説明すれば
１今日はソデイカ（タルイカ・セーイカ）の耳（エンペラ）を準備し。
２圧力鍋で加圧加熱ボイルする  水から入れ沸騰してから約１０分〜１５分。
（イカの耳（エンペラ）の量や水の容量によって多少違う）
そのまま鍋の圧力が無くなるまで（１５分前後）放置し圧力が無くなったら鍋から取り出して水洗いして水を切って商品化する。
３普通の鍋でボイルされたイカの耳（エンペラ）と比べたらうその様に柔らかくて美味しい和・洋・中華食品素材が誕生する。
【発明の効果】
【０００６】１今までソデイカの耳（エンペラ）は殆ど捨てていた。漁って捨てる無駄は無くなる。
２関係業者には大変な喜びである毎年数百トンの食糧が助かる。
３今までのイカ耳（エンペラ）のボイル方法と圧力鍋のボイル方法とでは全然違った柔らかくて美味しい味の新素材が出来上がる。
４あっさりして女性に人気のあるイカ食品である。
(57)【要約】【課題】容器に受け皿と投入口を設け、投入口に蓋を設け、受け皿を煙草の灰を捨てる場所とし、蓋を開けて投入口より吸殻を容器に投入する、消火蓋付き分別式灰皿を提供する。【解決手段】容器（１）に受け皿（２）と投入口（４）を設け、受け皿（２）には着脱式の中皿（３）を設置し、その上部に、目の細かい金網（１１）をはり、投入口（４）に開閉式の蓋（５）を設けたことを特徴とする。【選択図】  図１
2005270079.tif 000002
【特許請求の範囲】
【請求項１】
容器に受け皿と投入口を設け、投入口に蝶番つきの蓋を設け、受け皿を煙草の灰を捨てる場所とし、蓋を開けて投入口より吸殻を容器に投入する、消火蓋付き分別式灰皿。
【発明の詳細な説明】
【技術分野】
【０００１】  この発明は、容器を、煙草の灰と吸殻を捨てる場所に分け、吸殻を捨てる容器に消火蓋を付けた分別式灰皿に関するものである。
【背景技術】
【０００２】  従来の灰皿は、消火しきれない火種が残りくすぶることや、他の吸い殻に引火することが多かった。
容器に水をはって消火する灰皿は、吸い殻が水に浮いて山となり水が行き届かず簡単に引火し、くすぶることが多かった。また、水が濁り、見た目も汚かった。
空気中の酸素を遮断する事で消火を行う灰皿は、消火は確実だが複数の人が使用する場合、蓋を常に開けておかねばならず、公共の場所で用いる事が出来ず、家庭用・個人用に限られていた。
【発明の開示】
【発明が解決しようとする課題】
【０００３】  そのために、次のような問題点があった。
頻繁に吸い殻がくすぶり、煙が立ち昇り灰皿の周囲の空気を汚染し、環境を悪くしていた。そのため、掃除の回数も頻繁で煩雑であった。更に、消火の為に、常に傍に水を入れたペットボトルを備えておくなどしなければならなかった。
水をはって消火する灰皿は、容器の大半を水が占めることに加え、吸い殻が水面に浮いて汚くなり、灰皿の清掃が不便であった。
空気中の酸素を遮断する事で消火を行う灰皿は、消火は確実だが複数の人が使用する場合、蓋を常に開けておかねばならず、公共の場所で用いる事が出来ず、家庭用・個人用に限られていた。
【課題を解決するための手段】
【０００４】  容器に受け皿を設け、その受け皿の上面に着脱式の中皿を設置する。中皿に煙草の灰のみを捨てる。
容器の一端に投入口を設け、そこに蓋を取り付ける。蓋と容器はバネ付きの蝶番で取り付ける。吸い殻は投入口より投入する。
以上を特徴とする消火蓋付き分別式灰皿である。
【発明の効果】
【０００５】  本発明は、吸い殻を捨てる場所に蓋が付いている為、酸素を遮断する事で確実な消火が可能で、煙が外にでることもない。灰皿の周囲の環境の向上に役立つ。
完全に消火する前に消火蓋が開いて、酸素が灰皿中に入り再燃しても、再び消火蓋が閉じられ酸素が無くなれば、必ず消火される。
また、灰を捨てる部分が独立しているので、複数の人間が同時に使用できる。
水を用いて消火する灰皿よりも、見た目も綺麗で、清掃時も衛生的である。また容量も大きく、清掃の回数も手間も削減できる。
使用する人数に合わせて、吸殻の投入口と消火蓋とを増やしたりする。また投入口と蓋を側面に設けたり、蓋をスライド開閉式などにする。使用者が全員使用法を理解している場合は、中皿の上部の金網や、蓋の蝶番のバネなどを取り払うなどする。また、金網の形状をくの字の山形にするなどすると、金網の上面にゴミを置かれることを防ぐことができる。
【発明を実施するための最良の形態】
【０００６】  以下、本発明の実施の形態を説明する。
（イ）容器（１）の上部に、適当な深さを持つ凹部の受け皿（２）を設け、受け皿（２）に着脱式の中皿（３）を設置する。
（ロ）容器（１）の端部に投入口（４）を設ける。その投入口（４）に蝶番（７）を介して、蓋（５）を開閉式に取り付ける。
（ハ）蓋（５）の上面には柄（６）を設ける。
（ニ）蓋（５）は、バネ付きの蝶番（７）で平時は閉じるように取り付ける。
（ホ）容器底部に取っ手（８）つきの引き出し（９）を設け、吸い殻の受け口（１０）とする。
（ヘ）受け皿（２）の表面に、着脱式の目の細かい金網（１１）を設ける。
本発明は以上の構成よりなっている。
本発明を使用する時は、まず受け皿（２）に灰を捨てて喫煙する。灰は金網（１０）を通り、中皿（３）にたまる。
吸い殻は、柄（６）を用いて蓋（５）を開け、投入口（４）より容器（１）に投入する。吸い殻は、容器（１）内部の引き出し（９）の受け口（１０）にたまる。
火を消さずに投入しても、蓋（５）を閉じることにより、容器（１）内部の空気が遮断され、酸素が無くなり自然に消火する。
蓋（５）が勝手に開くことや、閉め忘れを防止する為、容器（１）にバネ付きの蝶番（７）で蓋（５）を取り付け、平時は蓋（５）は閉じているようにする。
清掃の際は、まず金網（１１）を外し、受け皿（２）から中皿（３）を取り出し、中皿（３）にたまった灰を回収する。
吸い殻は、取っ手（７）を引いて、受け口（１０）より底部の引き出し（９）にたまった吸い殻を回収する。
【図面の簡単な説明】
【０００７】
【図１】本発明の斜視図
【図２】本発明の分離斜視図
【図３】本発明の断面図
【符号の説明】
【０００８】      １    容器
２    受け皿
３    中皿
４    投入口
５    蓋
６    柄
７    蝶番
８    取っ手
９    引き出し
１０  受け口
１１  金網
【図１】
2005270079.tif 000003
【図２】
2005270079.tif 000004
【図３】
2005270079.tif 000005
(57)【要約】【課題】ベースの付いた細い線材の、Ｔ型形状をした鳩飛来防止具を提供する。【解決手段】丸い座の円周に切り込みの入った、丸座ベースの中央に細い線材の主柱を立てて固定し、その頂部に細い線の横材を設け、その中央部分を主柱と固定し、その横材の端部に屈折による跳ね上げ部を設けたＴ型形状の鳩飛来防止具。【選択図】  図１
2005270074.tif 000002
【特許請求の範囲】
【請求項１】
丸い座の円周に切り込み（１）の設けた丸座ベース（２）の中央に細い線材の主柱（３）を立てて固定（４）し、その主柱（３）の頂部に細い線の横材（５）を設け、その中央部分を主柱と固定（６）し、その横材（５）の端部に屈折による跳ね上げ（７）部を設けた、Ｔ型形状を特徴とした鳩飛来防止具。
【発明の詳細な説明】
【枝術分野】
【０００１】  本発明は、丸い座の円周に切り込みを設けた丸座ベースの中央に細い線材の主柱を立てて固定し、その頂部に細い線の横材を設け、その中央部分を主柱と固定し、その横材の端部に屈折による跳ね上げ部を設けた、Ｔ型形状にしたことを特徴とした鳩飛来防止具に関するものである。
【背景枝術】
【０００２】  従来、鳩の飛来を防止するために、線材、糸など両端で固定して引き張る方法、また磁気を使用し鳩が近づけないようにする方法があった。
【発明の開示】
【発明が解決しようとする課題】
【０００３】  そのためには、次のような問題点があった。
（イ）線材、糸など張るためには端部に強固な主柱又は補強材が必要であり、専門技術者でないと施工が出来なかった。
（ロ）社寺などでは、庇先端から全体を覆う大掛かりな方法などがあった。
（ハ）これなど、社寺の外観を大きく損ない、建物の装飾的美観を隠してしまう事にもなっていた。
（ニ）社寺の壁面には装飾として木鼻（きばな）、巻斗（まきと）等凹凸状の装飾がいりくんでいる所があり、線を張る事が出来なかった。
本発明はこれらの欠点を解決する為に考案されたものである。
【課題を解決するための手段】
【０００４】  丸い座の円周に切り込み（１）の設けた丸座ベース（２）の中央に細い線材の主柱（３）を立て固定（４）し、その主柱（３）の頂部に細い線の横材（５）を設け、その中央部分を主柱（３）と固定（６）し、その横材（５）の端部に屈折による跳ね上げ部（７）を設けた、Ｔ型形状を特徴とした鳩飛来防止具。
【発明の効果】
【０００５】  この鳩飛来防止具は飛んで来た鳩がこのＴ型形状をした鳩飛来防止具に近寄れないことにある。
（イ）鳩は頂部横材が細いため掴めないのでとまることが出来ない。
（ロ）横材の端部に跳ね上げ部を設けることにより、鳩は大きく羽根を広げて空中を飛び行動する。
そして飛来してきた鳩が跳ね上げ部を備えた鳩飛来防止具に羽根が触れて障害となることを察知して、着地をあきらめ引き返してしまう事を目的としたものである。
（ハ）接地面が狭くても丸座ベースの余地があれば取付け可能である。
（ニ）丸座ベースの裏に接着剤を塗布し、接着面に円を描くように押し付けることにより接着剤が円周の切り込み部にからみつくことにより強固な接着効果が得られ、誰にでも簡単に手軽に取付けが出来る。
【発明を実施するための最良の形態】
【０００６】  以下、本発明の実施について説明する。
丸い座の円周に切り込み（１）の設けた丸座ベース（２）の中央に細い線材の主柱（３）を立てて固定（４）し、その主柱（３）の頂部に細い線の横材（５）を設け、その中央部分を主柱（３）と固定（６）し、その横材（５）の端部に屈折による跳ね上げ部（７）を設けた、Ｔ型形状を特徴とした鳩飛来防止具。【０００７】  本説明の中に固定とあるは、アルゴン溶接又はスポット溶接にて固定することである。
また、図２に示すように主柱（３）の頂部に細い線の横材（５）を設け、その中央部分を主柱（３）と固定（６）し、その横材（５）に対し直角方向に横材（８）を設けることにより鳩に対し障害となる範囲を広げる事を目的として設けたものである。【０００８】  図３は、丸い座の円周に切り込み（１）を設けた丸座ベース（２）に主柱（３）を固定（４）した部分の斜視図を表したものである。【０００９】  図４は、丸い座の円周に切り込み（１）が入り又かつ筒状のダボ（９）が一体となった筒付きベース（１０）と、細い線材で主柱（３）と横材（５）の跳ね上げ（７）部を設けたＴ型形状とを分離して、差し込み式に設定したものである。
こうする事により、筒付きベース（１０）と主柱（３）とが固定されていないため、上部Ｔ型形状が回転する事により、不安定な状態が維持され、鳩の着地をより難しくする事が出来る。
また、差し込み式にする事により、取り外しが可能で、掃除や補修などに便利である。【００１０】  図５・図６・図７は、本発明の実施例を示す斜視図である。
【図面の簡単な説明】
【００１１】
【図１】本発明の斜視図
【図２】本発明の他の実施例を示す斜視図
【図３】本発明の一部の斜視図
【図４】本発明の他の実施例を示す斜視図
【図５】本発明の実施例を示す斜視図
【図６】本発明の実施例を示す斜視図
【図７】本発明の実施例を示す斜視図
【符号の説明】
【００１２】  １  切り込み
２  丸座ベース
３  主柱
４  固定
５  横材
６  固定
７  跳ね上げ部
８  横材
９  筒状のダボ
１０  筒付きベース
【図１】
2005270074.tif 000003
【図２】
2005270074.tif 000004
【図３】
2005270074.tif 000005
【図４】
2005270074.tif 000006
【図５】
2005270074.tif 000007
【図６】
2005270074.tif 000008
【図７】
2005270074.tif 000009
(57)【要約】【課題】本願発明は、特に単位ユニットを敷き設して人工地盤上あるいは屋上に設けた歩道、駐車場を緑化するさい熱膨張を吸収する手段を提供することにある。【解決手段】平盤上に1ないし複数の突状部を有し、左右に連結可能な継手部１、継手部２を有する植物育成用プランターにおいて、継手部1は側面の上端部を下方に垂下させた垂下部と側面からなり、継手部２は側面の上端部を下方に垂下させるとともに当該垂下した端部をさらに内方に向かって上方に折り曲げたU字部と側面からなり、前記継手部1が継手部2のU字部と継手部2の所属する側面との間に挿入させることで連結させ、熱による膨張を吸収可能とした植物育成用プランターである。【選択図】図1
2005270001.tif 000002
【特許請求の範囲】
【請求項１】
平盤上に1ないし複数の突状部を有し、左右に連結可能な継手部１、継手部２を有する植物育成用プランターにおいて、継手部1は側面の上端部を下方に垂下させた垂下部と側面からなり、継手部２は側面の上端部を下方に垂下させるとともに当該垂下した端部をさらに内方に向かって上方に折り曲げたU字部と側面からなり、前記継手部1が継手部2のU字部と継手部2の所属する側面との間に挿入させることで連結させ、熱による膨張を吸収可能としたことを特徴とする植物育成用プランター。
【請求項２】
請求項1記載の植物育成用プランターにおいて、平盤上の突状部上端部に載荷物受け部を設けたことを特徴とする植物育成用プランター。
【発明の詳細な説明】
【技術分野】
【０００１】
本発明は、屋上緑化に最適な植物育成用プランターを構築するための技術に属する。
【背景技術】
【０００２】
特開平11-037114、2003-023871に平盤上に土壌の流出/移動を制限するための突状部を有する単位ユニットである植物育成用プランターを連結し、植物育成用の土壌をいれる屋上緑化の方法が開示されている。
これらは互に連結しながら屋上等の定められた区域に植物育成用プランターを敷き詰めて使用するものである。屋上という過酷な条件のため熱による膨張収縮が大きくそれを吸収する方法が求められている。
【０００３】
【特許文献１】特開平11-037114
【特許文献２】特開2003-023871
【発明の開示】
【発明が解決しようとする課題】
【０００４】
本願発明は、特に単位ユニットを敷き設して人工地盤上あるいは屋上に設けた歩道、駐車場を緑化するさい単位ユニットの熱膨張を吸収する手段を提供することにある。
【課題を解決するための手段】
【０００５】
本第1の発明は、平盤上に1ないし複数の突状部を有し、左右に連結可能な継手部１、継手部２を有する植物育成用プランターにおいて、継手部1は側面の上端部を下方に垂下させた垂下部と側面からなり、継手部２は側面の上端部を下方に垂下させるとともに当該垂下した端部をさらに内方に向かって上方に折り曲げたU字部と側面からなり、前記継手部1が継手部2のU字部と継手部2の所属する側面との間に挿入させることで連結させ、熱による膨張を吸収可能とした植物育成用プランターである。このような構成をとることで連結部は2つのバネが接する形態を取る。
本第2の発明は、上記の植物育成用プランターにおいて、平盤上の突状部上端部に載荷物受け部を設けた植物育成用プランターである。
【発明の効果】
【０００６】
側面の上端部を下方に垂下させた垂下部と側面からなる継手部1を、側面の上端部を下方に垂下させるとともに当該垂下した端部をさらに内方に向かって上方に折り曲げたU字部と側面からなる継手部２のU字部と継手部2の所属する側面との間に挿入させることで連結させるため、2つのバネが接するため熱による膨張収縮が吸収される。
平盤上の突状部の上端を載荷物受け部としたため上部に芝生保護材などを堅固に敷き設できる。
【発明を実施するための最良の形態】
【０００７】
以下本第１の発明を、図を用いて、より詳細に説明する。
図１は、本発明の植物育成用のプランターを示す概念図である。
図に示すように、平盤上に複数の突状部を有し、その両側面上端に互に連結可能とするように継手部１、継手部2が設けられている。
継手部1は側面の上端が下方に垂下した垂下部と側面から構成される。
継手部2は側面の上端が下方に垂下し、かつ垂下した下端が再び上方に向かって折り曲げられたU字部と側面から構成される。
本図では平盤は平らな面として示しているが、必要に応じて上向きの溝を突状部の間に走らせてもよい。こうすることで溝と溝との間、溝と側面との間は水分の保留部となる。溝の頂部には水抜き穴を設けることが好ましい。
【０００８】
図２は植物育成用プランターを連結した状態を示している。図2ａはその全体を示し、図2ｂは図1ａの丸で囲った部分すなわち連結部の拡大図である。
図2ｂに示すように、連結部は２つの空間を隔てて曲げたＵ字部と垂下部とが接した状態となっている。
温度が上がり膨張すると、垂下部の空間が狭くなることで膨張を吸収し、温度が下がり収縮するとＵ字部の空間が狭くなることで収縮を吸収する。
【０００９】
植物育成用プランターの長さ方向での熱膨張の吸収は図３に示するようにその一方の端面を内側に絞った形状にすることで達成できる。
図４は突状部を示す概念図である。図４ａはその平面図を、図４ｂはその断面を示している。例えば図６に示すような芝生保護材と本植物育成用プランターとを組み合わせて使用するさい、突状部の先端を芝生保護材の孔部の形状に合わせることで互いに固定が可能となる。
【００１０】
本植物育成用プランターは、ステンレススチールなどの金属、射出成形可能なポリプロピレン、ポリエチレン等のプラスチック製がその要求される強度に応じて使い分けることも可能である。
【図面の簡単な説明】
【００１１】
【図１】は、本植物育成用プランターの概念図である。
【図２】は、本植物育成用プランターを連結した状態を示す図である。
【図３】は、本植物育成用プランターの長手方向の熱吸収を示す概念図である。
【図４】は、突状部の形状を示す図である。
【図５】は、従来の植物プランターを示す概念図である。
【図６】は、芝生保護材の一例を示す図である。
【符号の説明】
【００１２】
１  植物育成用プランター
２  突状部
３  継手部1
４  継手部２
５  長手方向継手部
６  芝生保護材
【図１】
2005270001.tif 000003
【図２】
2005270001.tif 000004
【図３】
2005270001.tif 000005
【図４】
2005270001.tif 000006
【図５】
2005270001.tif 000007
【図６】
2005270001.tif 000008
(57)【要約】【目的】  米の蒸し乾し飯をばいせん膨張乾燥焼飯にし、熱油で揚げた膨張乾燥焼飯による乾燥の五目御飯よりも、カロリー摂取過剰の原因となる油分の含有が著しく少ない乾燥の五目御飯を提供する。叉、ばいせん膨張乾燥焼飯で、熱油で揚げた膨張乾燥焼飯の油分含有を希釈調整する方法を提供する。【構成】  米の蒸し乾し飯をばいせん膨張乾燥焼飯に複数種類の具素材の乾燥粒具を組み合わせて、ペットボトル詰又は缶詰又は袋詰の乾燥の五目御飯にする。【選択図】  図１
2005270085.tif 000002
【特許請求の範囲】
【請求項１】
米の蒸し乾し飯をばいせんした膨張乾燥焼飯に複数種類の具素材の乾燥粒具を組み合わせてペットボトル詰又は開封口が小口径の缶詰又は袋詰にしたばいせん膨張焼飯の乾燥の五目御飯。
【請求項２】
熱油の中で揚げた膨張乾燥焼飯にばいせん膨張乾燥焼飯を混合して熱油の中で揚げた膨張乾燥焼飯に浸透した油分を希釈する方法。
【発明の詳細な説明】
【発明の詳細な説明】
【産業上の利用分野】
【０００１】  本発明は、米の蒸し乾し飯ばいせん膨張乾燥焼飯を用いた油分抑制の乾燥の五目御飯、及び、熱油の中で揚げた膨張乾燥焼飯に浸透した油分を希釈する方法に関する。
【背景技術】
【０００２】  従来の乾燥の五目御飯特願２００２−３１６８３９は、米の蒸し乾し飯を熱油の中で揚げて膨張乾燥焼飯に複数種類の具素材の乾燥粒具を組み合わせ、ペットボトル詰又は開封口が小口径の缶詰又は袋詰にした乾燥の五目御飯であった。
この乾燥の五目御飯は、簡便食事性、野菜・海藻の豊富な摂取性、栄養バランス性、咀嚼力増強等を容易にするためのものであった。
【発明が解決しようとする課題】
【０００３】  従来の乾燥の五目御飯は、その構成主体となる膨張乾燥焼飯が熱油で揚げたものであったため、膨張乾燥焼飯の部分には油分が推定で２５％〜３０％と多く浸透していた。乾燥の五目御飯の中での熱油の中で揚げた膨張乾燥焼飯の構成重量比は、メニューにより異なるが８０％〜５５％を占めるものであった。そのため熱油の中で揚げた膨張乾燥焼飯に複数種類の乾燥粒具を組み合わせた乾燥の五目御飯にも油分は比較的多く含まれていた。
本発明は、従来の乾燥の五目御飯における簡便食事性、野菜・海藻の豊富な摂取性、栄養バランスの保全型性、咀嚼力増強等を容易にする利点は基本的に継承するが、なかんずく、食嗜好の多様化、肥満の懸念等の観点から、カロリー性の高い油分を抑制した乾燥の五目御飯を提供しようとするものである。
叉、熱油の中で揚げた膨張乾燥焼飯に浸透した油分を希釈する方法を提供しようとするものである。
【課題を解決するための手段】
【０００４】上記目的を達成するために、本発明においては、米の蒸し乾し飯を加熱ばいせんして膨張乾燥焼飯にし、それに複数種類の具素材の乾燥粒具をむらなく組み合わせ乾燥の五目御飯にする。そしてそれをペットボトル詰にする。又は開封口小口径缶詰又は袋詰めにする。
叉、熱油の中で揚げた膨張乾燥焼飯に浸透した油分を希釈するために、熱油の中で揚げた膨張乾燥焼飯に、ばいせん膨張乾燥焼飯を任意の比率でむらなく混合する。
【実施例】
【０００５】  実施例１
玄米１ｋｇを水洗いし水温２５度〜３０度の水３ｌに約６０時間浸し、その間あく抜きのため２〜３回水を入れ替え、芽が０．５ｍｍ．〜２．０ｍｍ．発芽したらこれを水切りし、圧力釜で３０分間蒸して水分含有率１２％〜１３％に乾燥し、発芽玄米の蒸し乾し飯にする。
なお、米が精米の場合は、水に浸漬する時間は２４時間程度でよい。【０００６】  次に、微細な砂１ｋｇを中華鍋に入れて加熱し、砂の温度が１６０度〜２００度に達した頃、発芽玄米の蒸し乾し飯を約１００ｇ投入し、鉄板しゃもじで加熱砂と蒸し乾し飯を素早く混合攪拌してばいせんする。そうすると、数十秒間で蒸し乾し飯が砂の中でパリパリと音を立てて膨張する。すべての蒸し乾し飯が膨張したのを見計らって、それらを金網の目が２ｍｍ程度のふるいに一気に移して左右にふるい砂と膨張乾燥焼飯を分離する。
この動作を複数回繰り返すことで全部をばいせんする。玄米対比の膨張率が約３倍〜３．５倍になった発芽玄米のばいせん膨張乾燥焼飯になる。【０００７】  次は調味料や砂糖等で任意に味付けした具素材の乾燥粒具を用意する。
人参粉末の造粒乾燥粒具５０ｇ、ごぼう粉末の造粒乾燥粒具５０ｇ、わかめ粉末の造粒乾燥粒具５０ｇ、わかめ粉末の造粒乾燥造粒具５０ｇ、ひじき粉末の造粒乾燥粒具５０ｇ、のり粉末の造粒乾燥粒具５０ｇ、ヨーグルトと粉乳混合の造粒乾燥粒具５０ｇ、納豆粉末の造粒乾燥粒具５０ｇを各々準備する。【０００８】  次は図を参照して説明する。
発芽玄米のばいせん膨張乾燥焼飯（１１）６０ｇ、人参粉末の造粒乾燥粒具（２１）５ｇ、ごぼう粉末の造粒乾燥粒具（２２）５ｇ、大根粉末の造粒乾燥粒具（２３）５ｇ、こんぶ粉末の造粒乾燥粒具（３１）３ｇ、わかめ粉末の造粒乾燥粒具（３２）５ｇ、ひじき粉末の造粒乾燥粒具（３３）５ｇ、のり粉末の造粒乾燥粒具（３４）２ｇ、ヨーグルトと粉乳の造粒乾燥粒具（４１）５ｇ、納豆粉末の造粒乾燥粒具（４２）５ｇ、をむらなく組み合わせて、ペットボトル（６１）詰にする。又は開封口小口径缶詰にする。又は袋詰にする。
【発明の効果】
【０００９】  本発明は、以上説明したように構成されているので、ばいせんした膨張乾燥焼飯では、従来の熱油の中で揚げた膨張乾燥焼飯に見られる重量比２５％〜３０％の油分の浸透付加はゼロ％になる。
したがって、簡便性、野菜・海藻の豊富な摂取性、栄養バランスの保全型性、咀嚼力の増強性等を容易に満たすことはできて、従来の乾燥の五目御飯よりも著しく油分の少ない乾燥の五目御飯を提供することができる。
又、熱油の中で揚げた膨張乾燥焼飯に、ばいせん膨張乾燥焼飯を混合すると、膨張乾燥焼飯相互間の形状は見分けられないほど類似し一体的になるが、油分は熱油で揚げた膨張乾燥焼飯からばいせん膨張乾燥焼飯に浸透移行し希釈される。
遠心分離脱油機での脱油に替えて熱油の中で揚げた膨張乾燥焼飯の油分を薄めることができる。
【図面の簡単な説明】
【図１】  ペットボトル詰のばいせん膨張乾燥焼飯の乾燥の五目御飯である。
【符号の説明】
１１  発芽玄米のばいせん膨張乾燥焼飯
２１  人参粉末の造粒乾燥粒具
２２  ごぼう粉末の造粒乾燥粒具
２３  大根粉末の造粒乾燥粒具
３１  こんぶ粉末の造粒乾燥粒具
３２  わかめ粉末の造粒乾燥粒具
３３  ひじき粉末の造粒乾燥粒具
３４  のり粉末の造粒乾燥粒具
４１  ヨーグルトと粉乳の造粒乾燥粒具
４２  納豆粉末の造粒乾燥粒具
６１  ペットボトル
【図１】
2005270085.tif 000003
(57)【要約】【課題】片寄った食生活や、ビタミン剤、サプリメントへの依存を改め、バランス良く、消化良く、栄養を取り入れることのできる食品。【解決手段】かゆまたは雑炊の中に五目の具材を加え、調理する事で、健康な者から、虚弱な状態にあるものまで、バランス良く、消化良く、栄養を取り入れる事ができる。【特許請求の範囲】
【請求項１】
かゆまたは雑炊の中に五目の具材を加え調理されているもので、穀物と五目の具材が、消化の良い形で一度に摂取できる事により、健康な者から虚弱な状態にある者まで、保健的に好ましい食品。
【発明の詳細な説明】
【技術分野】
【０００１】  本発明は、消化や栄養価を考慮に入れた食品に関する。
【背景技術】
【０００２】  従来のかゆまたは雑炊は、消化良く穀物を摂取するという点において、重要な食品であるが、時に卵が加わったり、時に鮭が加わったりするもので、それだけでは栄養的に不足が生じ、理想的な食品とは言いがたく、消化、栄養共に理想を満たす食品を追求することが望ましい。
【特許文献】特になし
【発明の開示】
【発明が解決しようとする課題】
【０００３】  近年、ビタミン剤やサプリメントが、しきりにもてはやされる傾向にあるが、片寄った成分の過剰摂取は、大変危険で、思わぬ落とし穴があるものである。人によっては、皮膚炎や吐きけ、頭痛、それ以上の例もあるようである。やはり多くの食材をきちんと食事に加え、取り入れていくべきである。従って多くの食材を一度に消化の良い状態で摂取できる、五目がゆまたは五目雑炊は、理想的な食品である。
【課題を解決するための手段】
【０００４】  この五目がゆまたは五目雑炊は、昆布、魚けずり節、干ししいたけ等で取っただしに、塩、しょうゆ等で味付けし、５ｍｍ角ほどに切った大根、芋、人参などの根菜、５ｍｍ巾ほどに切った、ほうれん草、ねぎなどの葉菜、それに、きのこ、油揚げ、卵、魚貝または肉などを細かく、口あたりの良い形で加え、米または飯と共に風味良く加熱、調理して製造するものである。
また、細かく切った、のり、あさつき、かつおけずりなどのトッピングをする事で、より好ましい味と栄養が加わるものである。
【発明の効果】
【０００５】  この五目がゆまたは五目雑炊は、大変消化の良い状態で、多くの食材が摂取できるため一般の者はもとより、幼児、高齢者、虚弱な体質にあるものまで、通常の食事として、安心して食べられるものである。昨今の片寄った食生活を見聞きするにつれ、バランス良く総合的な食品を、朝、昼、夕、夜食を問わず、取り入れたいものである。また、高カロリー食、高脂肪食の害などを耳にするたびに、日本人の体質に合った、日本的食文化を見直す必要性を感じるものである。それらの見解から考えても、五目がゆまたは五目雑炊は理想的な食品であると言えよう。
(57)【要約】【課題】園芸、農作物を生育するとき、自然に近い肥料を選択したい。化学肥料、除草剤を軽減しないと、地球環境は、悪くなる。【解決手段】園芸、農作物を生育するとき、無害な竹の粉と肥料をまぜて発酵させた肥料と、有機肥料、堆肥を使用する。【選択図】図  １
2005270081.tif 000002
【特許請求の範囲】
【請求項１】
有機肥料、堆肥、をまぜて耕作した土壌に、園芸、農作物の種を蒔き、その上に、竹を粉砕して粉にして発酵させた肥料を敷き、園芸、農作物を生育する。
【請求項２】
竹を粉砕して粉にして堆肥と混ぜて発酵させた肥料なので地球環境良い園芸、農産物。
【発明の詳細な説明】
【技術分野】
【０００１】本発明は、有機肥料、堆肥をまぜて、耕作した土壌に、種を蒔き、その上に竹の粉と堆肥を混ぜて発酵させた肥料を敷き様子を見ながら追肥する。
化学肥料を軽減して地球環境を、改善したいのである。
園芸、農作物の、まわりに、竹を粉砕した粉と堆肥を混ぜて発酵した肥料を、敷くので、除草効果もあるのである。
竹の粉は養分が豊富で、無害である。
【背景分野】
【０００２】従来園芸、農作物は、有機肥料、化学肥料、堆肥を使って生育していましたが、地球環境を、改善するために、竹を粉砕して粉にして堆肥と混ぜて発酵させた肥料を使うことにより化学肥料を軽減することができる。また、園芸、農作物の回りに敷くので、除草剤も軽減できる。
【発明の開示】
【発明の効果】
【０００３】この様にすれば、園芸、農作物を生育する時、地球環境の改善のために、竹の粉、有機肥料、堆肥で生育できるのである。化学肥料、除草剤は軽減するのである。
【発明を実施するための最良の形態】
【０００４】本発明は、園芸、農作物を生育する時、化学肥料、除草剤を軽減して、有機肥料、堆肥をまぜて耕作した土壌に、園芸、農作物の種を蒔き、竹を粉砕して粉にして堆肥と混ぜて発酵した肥料を敷いて生育して様子を見て、追肥する。
【図面の簡単な説明】
【０００５】
【図１】有機肥料、堆肥をまぜて、耕作した土壌に、園芸、農作物を、生育して、回りに、竹を粉砕して粉にして発酵した肥料を敷いた、断面図である。
【符号の説明】
【０００６】１  竹を粉砕して粉にして堆肥と混ぜて発酵した肥料
２  園芸、農作物
【図１】
2005270081.tif 000003